(57)【要約】      （修正有）【課題】伝統的な作法それ自体は維持しつつ、おみくじ箋を全く不要又は使用枚数を削減して、神社仏閣側の維持経費や労力を軽減するおみくじシステム、おみくじ箱及び情報提供サーバを提供する。【解決手段】おみくじ箱を模した筒状箱体に、所定の箱振り操作に応答して電子式くじ引き処理を実行して引きくじ情報を生成し、この引きくじ情報と神社仏閣情報と提供サーバ情報とを含む特定情報をＱＲコード（登録商標）にエンコードして、当該箱体外表面に設けた画像表示部に表示させる制御部を組み込んだ電子式おみくじ箱と、電子式おみくじ箱の画像表示部に表示されたＱＲコードを撮影したスマートフォンからの送信リクエストに応答して、神社仏閣の対応する引きくじ内容情報をスマートフォンへとリクエスト応答として返送することで、引きくじの内容をスマートフォンのディスプレイに表示させる制御部が組み込まれた情報提供サーバと、を包含する。【選択図】図８
2019008743.tif 000002
【特許請求の範囲】
【請求項１】
おみくじ箱を模した筒状箱体に、所定の箱振り操作に応答して電子おみくじ引き処理を実行して引きくじ情報を生成し、この「引きくじ情報」と引きくじ内容の問い合わせ先サーバを特定する「サーバ情報」とを少なくとも含む特定情報をＱＲコード等の普及型機械読取方式に適する図形コードにエンコードして、前記箱体外表面に設けた画像表示部に表示させる機能を組み込んでなる電子式おみくじ箱と、
前記電子式おみくじ箱の画像表示部に表示された図形コードを撮影したスマートフォン等の携帯情報端末からインターネットを介して送られてくる送信リクエストに応答して、当該送信リクエストに含まれる前記「引きくじ情報」で特定される引きくじ内容情報を所定の記憶部から読み出して前記携帯情報端末へとインターネットを介してリクエスト応答として返送することにより、当該引きくじの内容を当該携帯情報端末の画像表示部にブラウザの助けを借りて表示させる機能が組み込まれた情報提供サーバと、を包含するおみくじシステム。
【請求項２】
前記電子おみくじ箱の側において、図形コードにエンコードされるべき特定情報には、当該神社仏閣を特定する「神社仏閣情報」がさらに含まれており、かつ
前記情報提供サーバの側では、当該送信リクエストに含まれる前記「引きくじ情報」と前記「神社仏閣情報」とで特定される引きくじ内容情報を所定の記憶部から読み出して前記携帯情報端末へとインターネットを介してリクエスト応答として返送する、請求項１に記載のおみくじシステム。
【請求項３】
前記情報提供サーバの記憶部には、引きくじ内容情報が複数種の言語で記憶されており、前記リクエスト応答には、１の引きくじ情報に対応する前記複数種の言語による引きくじ内容情報が、又は前記複数種の言語の中で、前記情報端末に対する問い合わせにより確認された希望言語による引きくじ内容情報が含まれている、請求項１に記載のおみくじシステム。
【請求項４】
前記情報提供サーバから返送されるリクエスト応答には、当該神社仏閣に関する広告宣伝情報が含まれている、請求項１に記載のおみくじシステム。
【請求項５】
前記電子式おみくじ箱は、引きくじ情報に対応する前記図形コードに加えて、引きくじ情報に対応する文字、数字、記号等の人の読み取りに適する表意体を前記画像表示部に同時に表示させる機能がさらに組み込まれている、請求項１に記載のおみくじシステム。
【請求項６】
前記電子おみくじ箱の画像表示部は、前記筒状筐体の天板に設けられている、請求項１に記載のおみくじシステム。
【請求項７】
前記おみくじ箱には、おみくじを引いた回数等を計数して記憶部に記憶し、所定の読み出し操作に応答して、前記記憶部から読み出して、外部へと出力するデータロギング機能がさらに組み込まれている、請求項１に記載のおみくじシステム。
【請求項８】
前記情報提供サーバには、１又は２以上の神社仏閣のそれぞれ毎に、引きくじ内容情報を送信した回数を計数して記憶部に記憶し、所定の読み出し操作に応答して、前記記憶部から読み出して、外部へと出力するデータロギング機能がさらに組み込まれている、請求項１に記載のおみくじシステム。
【請求項９】
請求項１〜８のいずれか１つに記載のおみくじシステムを構成する電子式おみくじ箱。
【請求項１０】
請求項１〜８のいずれか１つに記載のおみくじシステムを構成する情報提供サーバ。
【発明の詳細な説明】
【技術分野】
【０００１】
本発明は、神社仏閣におけるおみくじ提供サービスに好適なおみくじシステム、おみくじ箱、及び情報提供サーバに関するものである。
【背景技術】
【０００２】
神社仏閣におけるおみくじ提供サービスは、通常、おみくじ箱、おみくじ箋、おみくじ棚、などを備えて行われる。おみくじ箱は、天板中央に小孔を有する例えば断面六角形や正方形や円形の短筒状箱体であって、その内部には、竹製のおみくじ棒が多数収容されている。おみくじ箋は、薄手の紙製の小片であって、その表面には、引きくじ番号、運勢の説明（概略）、吉凶（大吉、吉、中吉、小吉、凶ね等々）、和歌・漢詩、個別の運勢（願望、健康、体調、仕事、交渉、恋愛、縁談、待人、出産、金運、商売、相場、学問、学業、受験、技芸、転居、旅行、争事、等々）が表示されている。おみくじ棚は、それらのおみくじ箋を引きくじ番号別に整理して収容するため多数の小区画を有する棚である。
【０００３】
おみくじを引こうとする参拝者は、社務所等の係員におみくじ代金を手渡しで支払ったのち（有人管理の場合）、あるいは社務所備え付けの料金箱におみくじ代金を投入したのち（主として、無人管理の場合）、所定のおみくじ引き操作を行う。このおみくじ引き操作は、通常、おみくじ箱を振って内部のおみくじ棒を撹拌したのち、おみくじ箱を天板が下に向くように傾け、その１本を天板の小穴から取り出すことで行われる。しかるのち、取り出されたおみくじ棒に記載の引きくじ番号を頼りに、おみくじ棚の対応する小区画を探ることで、引きくじに対応するおみくじ箋を取得することができる。
【０００４】
こうして取得したおみくじ箋は、神仏を背景とした厳かな雰囲気の中でおみくじ箱を振るという伝統的な作法を通じて取得するものであるから、その引きくじに相当するおみくじ箋の記載内容は、おみくじを引いた者に対して、神や仏のご託宣としての有り難みを強く意識させるものとなる。
【０００５】
なお、選択装置（手持ち型ゲーム機本体）や携帯情報端末を恰もおみくじ箱に見立てると共に、これを実際に振ることでおみくじを引く操作を擬似的に体験させ、電子くじ引き処理（例えば、公知の乱数発生処理）を介して得られた引きくじの内容をサーバを介してそれら装置の画像表示部に表示させることは、従来より知られている（特許文献１、２参照）。
【０００６】
また、携帯電話器に装備のコードリーダで、「御神籤サイトアクセスカード」又は「御神籤」それ自体に付されたＱＲコード（登録商標）から読み取ったインターネットのアクセス先情報に基づいて、詳細な御神籤情報をインターネットのホームページで閲覧可能とすることも、従来より知られている（特許文献３参照）。
【先行技術文献】
【特許文献】
【０００７】
【特許文献１】特許第６２５５７２３号公報
【特許文献２】特開２００７−２５８８８５号公報
【特許文献３】特開２００６−１５４９８９号公報
【発明の概要】
【発明が解決しようとする課題】
【０００８】
上述の通り、従来、神社仏閣で実施されているおみくじ提供サービスにあっては、神仏を背景とした厳かな雰囲気の中でおみくじ箱を振るという伝統的な作法を通じておみくじ箋を取得するものであるから、その内容は、おみくじを引いた者にとっては、神や仏のご託宣としての有り難みを強く意識させることができるが、その反面、読み終わったおみくじ箋は、通常、周辺の木の枝や専用のおみくじ掛けに縛り付けて放置されることから、その後始末、おみくじ棚へのおくみじ箋の補充、おみくじ箋の在庫管理、等々のために、神社仏閣側ではそれなりの維持経費と労力を要する。
【０００９】
特許文献１及び２に開示の技術によれば、そもそも、おみくじ箋は存在しないため、その後始末、おみくじ棚へのおくみじ箋の補充、おみくじ箋の在庫管理、等々のための維持経費や労力は不要となるが、その反面、選択装置（手持ち型ゲーム機本体）や携帯情報端末を恰もおみくじ箱に見立てると共に、これを実際に振ることでおみくじを引く操作を擬似的に体験させるものであって、権威付けの肝となる、現物のおみくじ箱を振るという伝統的な作法を犠牲にするものであるから、神社仏閣における採用には馴染まない。
【００１０】
なお、特許文献３に開示の技術は、やはり、某かの「カード」や「おみくじ箋」の発行を前提とするものであって、本発明の技術課題に対して、なんらかの解決手段を提案するものではない。
【００１１】
この発明は、上述の技術的背景に鑑みてなされたものであり、その目的とするところは、神仏を背景とした厳かな雰囲気の中で現物のおみくじ箱を振るという伝統的な作法それ自体は維持しつつも、おみくじ箋（おみくじ紙）を全く不要又は使用枚数を削減可能として、神社仏閣側の維持経費や労力を軽減可能とする一方、おみくじを引いた参拝者の所持する携帯情報端末をインターネットを介して当該寺社仏閣の情報提供サーバに導くことで、引きくじ内容のみならず、当該神社仏閣に関する様々な情報を当該端末を介して参拝者に提供可能とし、併せて、それらの提供情報がＳＮＳ等を介して、多くのネットユーザへと拡散されることも期待し得るようにした、おみくじシステム及びそれに好適なおみくじ箱並びにサーバ装置を提供することにある。
【００１２】
この発明のさらに他の目的並びに作用効果については、明細書の以下の記述を参照することにより、当業者であれば容易に理解されるであろう。
【課題を解決するための手段】
【００１３】
上述の技術的課題は、以下の構成を有するおみくじシステム、電子式おみくじ箱、及び情報提供サーバにより解決することができると考えられる。
【００１４】
すなわち、本発明に係るおみくじシステムは、電子式おみくじ箱と情報提供サーバとを包含する。
【００１５】
電子式おみくじ箱は、おみくじ箱を模した筒状箱体を有する。この電子式おみくじ箱には、所定の箱振り操作に応答して電子おみくじ引き処理を実行して引きくじ情報を生成し、この引きくじ情報と引きくじ内容の問い合わせ先サーバを特定するサーバ情報とを少なくとも含む特定情報をＱＲコード等の普及型機械読取方式に適する図形コードにエンコードして、前記箱体外表面に設けた画像表示部に表示させる機能が組み込まれている。このような機能は、例えば、振動センサ（加速度センサ等）、小型の表示パネル（ＬＣＤや有機ＥＬ等）、マイクロコンピュータ（マイクロプロセッサ、システムプログラムＲＯＭ、ワークＲＡＭ等で構成）を用いて、当業者であれば、容易に実現することができると思われる。なお、「電子おみくじ引き処理」とは、おみくじ箱を振って内部のおみくじ棒を撹拌しその１本を天板の小孔から取り出す作業に相当する機能を電子的に行うもので、例えば乱数発生器などを使用して実現することができる。
【００１６】
情報提供サーバには、前記電子式おみくじ箱の画像表示部に表示された図形コードを撮影したスマートフォン等の携帯情報端末からインターネットを介して送られてくる送信リクエストに応答して、当該送信リクエストに含まれる前記引きくじ情報で特定される引きくじ内容情報を所定の記憶部から読み出して前記携帯情報端末へとインターネットを介してリクエスト応答として返送することにより、当該引きくじの内容を当該携帯情報端末の画像表示部にブラウザの助けを借りて表示させる機能が組み込まれている。このような情報提供サーバの機能は、公知のクライアント・アンド・サーバシステムを利用して、当業者であれば容易に実現することができると思われる。なお、周知のように、昨今普及のスマートフォンやタブレットＰＣ等の携帯情報端末にはカメラは付きものであるし、ＱＲコードやバーコード等の図形コードをデコードする機能も標準装備されている。
【００１７】
このような構成によれば、おみくじ引き処理そのものについては電子的に行われるものの、それを起動するためには、実物のおみくじ箱類似の箱体を振るという伝統的な作法が必要であるから、おみくじを引いた者にとっては、神や仏のご託宣としての有り難みを強く意識させることができる。
【００１８】
また、そうして取得した引きくじ情報の提供方法としては、紙媒体ではなく画像表示器を介すものであるから、おみくじ箋（おみくじ紙）を全く不要又は使用枚数を削減可能として、神社仏閣側の維持経費や労力を軽減することができる。
【００１９】
また、提供される引きくじ情報は、ＱＲコード等の普及型機械読取方式に適する図形コードにエンコードされたものであって、それには引きくじ内容の問い合わせ先サーバを特定するサーバ情報も含まれているため、携帯情報端末の所持者であれば、そのカメラ機能、デコード機能、及びブラウザの標準機能を用いてサーバにアクセスすることにより、当該携帯情報端末の表示部を介して、引きくじ内容を容易に閲覧することができる。
【００２０】
さらに、携帯情報端末の側では、引きくじ内容情報を電子情報（画像）として取得できるため、携帯情報端末のユーザによっては、これをＳＮＳを利用して広く拡散するであろうから、当該寺社仏閣に関する情報が広くネットユーザに拡散されることにより、当該神社仏閣の知名度向上に寄与することも期待される。
【００２１】
好ましい実施の態様においては、前記電子おみくじ箱の側において、図形コードにエンコードされるべき特定情報には、当該神社仏閣を特定する「神社仏閣情報」がさらに含まれており、かつ前記情報提供サーバの側では、当該送信リクエストに含まれる前記「引きくじ情報」と前記「神社仏閣情報」とで特定される引きくじ内容情報を所定の記憶部から読み出して前記携帯情報端末へとインターネットを介してリクエスト応答として返送する、ものであってもよい。
【００２２】
このような構成によれば、携帯情報端末から送信される送信リクエストには当該神社仏閣を特定する神社仏閣情報も含まれているため、例えば、複数の神社仏閣における引きくじ内容の提供を１つのサーバにより一括して引き受けると共に、引きくじ情報の提供のたびに、当該神社仏閣等に対して課金することで、引きくじ内容情報提供サービスを１つの事業として成立させることもできる。
【００２３】
好ましい実施の態様にあっては、前記情報提供サーバの記憶部には、１又は２以上の神社仏閣のそれぞれに関する引きくじ内容情報が複数種の言語で記憶されており、前記リクエスト応答には、１の引きくじ情報に対応する前記複数種の言語による引きくじ内容情報が、又は前記複数種の言語の中で、前記情報端末に対する問い合わせにより確認された希望言語による引きくじ内容情報が含まれててもよい。
【００２４】
このような構成によれば、引きくじ内容情報を携帯情報端末の画面上に多言語で又は希望の言語で表示させることが可能となり、来日する外国人観光客等に対してもおみくじ提供サービスを親しみのあるものとすることができる。
【００２５】
好ましい実施の態様においては、前記情報提供サーバから返送されるリクエスト応答には、当該神社仏閣に関する広告宣伝情報が含まれていてもよい。
【００２６】
このような構成によれば、引きくじ内容情報のみならず、当該神社仏閣の広告宣伝活動にも寄与するものとなる。
【００２７】
好ましい実施の態様においては、前記電子式おみくじ箱は、引きくじ情報に対応する前記図形コードに加えて、引きくじ情報に対応する文字、数字、記号等の人の読み取りに適する表意体を前記画像表示部に同時に表示させる機能が、さらに組み込まれていてもよい。
【００２８】
このような構成によれば、スマートフォンの扱いに不慣れな参拝者（例えば、年配者等々）に対しては、従前通り、画像表示器に表示される引きくじ番号等を頼りにおみくじ棚を探索することでおみくじ箋を取得する途も残されることから、この電子おみくじサービスを導入したのちであっても、おみくじ提供サービスの利用者が過度に制限されることもない。
【００２９】
好ましい実施の態様においては、前記電子おみくじ箱の画像表示部は、前記筒状筐体の天板に設けられていてもよい。
【００３０】
このような構成によれば、おみくじ箱の断面形状（円形、正方形六角形等々）に拘わらず、比較的大型サイズの画面を有する画像表示器の組み込みが可能となり、画面に表示される図形コード等々の視認性を向上させることができる。
【００３１】
好ましい実施の態様においては、前記おみくじ箱には、おみくじを引いた回数や引きくじ情報等を記憶部に記憶し、所定の読み出し操作に応答して、前記記憶部から読み出して、外部へと出力するデータロギング機能がさらに組み込まれていてもよい。
【００３２】
このような構成によれば、電子おみくじ箱の使用状況を正確に把握することが可能となり、例えば、これを寺社仏閣側の料金徴収状況や情報提供サーバ側の引きくじ情報提供状況等と照合することにより、おみくじ提供サービスの適正化のために利用することもできる。
【００３３】
好ましい実施の態様においては、前記情報提供サーバには、引きくじ内容情報を送信した回数等を記憶部に記憶し、所定の読み出し操作に応答して、前記記憶部から読み出して、外部へと出力するデータロギング機能がさらに組み込まれていてもよい。
【００３４】
このような構成によれば、引きくじ内容情報の送信状況を正確に把握することが可能となり、例えば、これを寺社仏閣側の料金徴収状況や電子おみくじ箱の使用状況等と照合することにより、おみくじ提供サービスの適正化のために利用することもできる。
【００３５】
別の一面から見た本発明は、請求項１〜７のいずれか１つに記載のおみくじシステムを構成する電子式おみくじ箱としても把握することができる。
【００３６】
別の一面からみた本発明は、請求項１〜７のいずれか１つに記載のおみくじシステムを構成する情報提供サーバとして把握することもできる。
【発明の効果】
【００３７】
本発明によれば、神仏を背景とした厳かな雰囲気の中でおみくじ箱を振るという伝統的な作法それ自体は維持しつつも、おみくじ箋（おみくじ紙）を全く不要又は使用枚数を削減可能として、神社仏閣側の維持経費や労力を軽減可能とする一方、おみくじを引いた参拝者の所持する携帯情報端末をインターネットを介して当該寺社仏閣の情報提供サーバに導くことで、引きくじ内容のみならず、当該神社仏閣に関する様々な情報を当該端末を介して参拝者に提供可能とし、併せて、それらの提供情報がＳＮＳ等を介して、多くのネットユーザへと拡散されることも期待できる。
【図面の簡単な説明】
【００３８】
【図１】図１は、本発明に係るおみくじシステムの構成図である。
【図２】図２は、本発明に係る電子式おみくじ箱の一例を示す正面図である。
【図３】図３は、同電子式おみくじ箱の平面図及び底面図である。
【図４】図４は、本発明に係る電子式おみくじ箱の電気的ハードウェア構成の一例を示すブロック図である。
【図５】図５は、本発明に係る電子式おみくじ箱の電気的ソフトウェア構成の一例を示すブロック図である。
【図６】図６は、本発明に係る情報提供サーバのハードウェア構成の一例を示すブロック図である。
【図７】図７は、情報提供サーバとスマートフォンとのインターネット経由での情報のやり取りを示すフローチャートである。
【図８】図８は、電子おみくじ箱天板の画像表示器に映し出されたＱＲコードをスマートフォンのカメラで撮影する様子を示す説明図である。
【図９】図９は、画像表示器に映し出された画像を頼りに引きくじ内容を確認するための２つの方法を示す説明図である。
【図１０】図１０は、スマートフォンに映し出される画像の他の例を示す説明図である。
【図１１】図１１は、おみくじ代金徴収手段の他の例を示す説明図である。
【発明を実施するための形態】
【００３９】
以下に、本発明に係るおみくじシステムの好適な実施の一形態を添付図面にしたがって詳細に説明する。なお、本発明に係るおみくじシステムの要旨とするところは、特許請求の範囲の記載に基づいて特定されるべきものであって、以下の実施形態は単にその一具体例を示すものに過ぎないことは言うまでもない。
【００４０】
＜システムの概要について＞
本発明に係るおみくじシステムの構成が、図１に示されている。同図に示されるように、このおみくじシステムは、電子式おみくじ箱１と情報提供サーバ２とを含んで構成されている。
【００４１】
電子式おみくじ箱１は、おみくじ箱を模した筒状箱体を有する（図２、図３参照）。この電子式おみくじ箱１には、所定の箱振り操作に応答して電子おみくじ引き処理（図５のステップ１０４〜１０６参照）を実行して引きくじ情報を生成し、この引きくじ情報と引きくじ内容の問い合わせ先サーバを特定するサーバ情報とを少なくとも含む特定情報をＱＲコード等の普及型機械読取方式に適する図形コード（図３（ａ）の符号１ｆ参照）にエンコードして（図５のステップ１０７〜１１０参照）、前記箱体外表面に設けた画像表示部１ａに表示させる機能が組み込まれている（図５のステップ１１１参照）。このような機能は、例えば、振動センサ（加速度センサ等）、小型の表示パネル（ＬＣＤや有機ＥＬ等）、マイクロコンピュータ（マイクロプロセッサ、システムプログラムＲＯＭ、ワークＲＡＭ等で構成）を用いて、実現することができる（図４、図５参照）。なお、「電子おみくじ引き処理」とは、おみくじ箱を振って内部のおみくじ棒を撹拌しその１本を天板の小孔から取り出す作業に相当する機能を電子的に行うもので、例えば乱数発生器などを使用して実現することができる（図５のステップ１０４〜１０６参照）。
【００４２】
情報提供サーバ２には、前記電子式おみくじ箱１の画像表示部１ａに表示された図形コード（図３（ａ）の符号１ｆ）を撮影（図８参照）したスマートフォン等の携帯情報端末３ａ，３ｂからインターネット４を介して送られてくる（図７のステップ２０１〜２０４参照）送信リクエストに応答して（図７のステップ３０１，３０２参照）、当該送信リクエストに含まれる前記引きくじ情報で特定される引きくじ内容情報を所定の記憶部から読み出して前記携帯情報端末３ａ，３ｂへとインターネットを介してリクエスト応答として返送することにより（図７のステップ３０３〜３０６参照）、当該引きくじの内容を当該携帯情報端末３ａ，３ｂの画像表示部１ａにブラウザの助けを借りて表示させる機能が組み込まれている（図９参照）。このような情報提供サーバの機能は、公知のクライアント・アンド・サーバシステムを利用して、当業者であれば容易に実現することができると思われる（図６、図７参照）。なお、周知のように、昨今普及のスマートフォンやタブレットＰＣ等の携帯情報端末にはカメラは付きものであるし、ＱＲコードやバーコード等の図形コードをデコードする機能も標準装備されている。
【００４３】
＜電子式おみくじ箱について＞
本発明に係る電子式おみくじ箱の一例を示す正面図が図２に、同おみくじ箱の平面図及び底面図が図３に、同おみくじ箱の電気的ハードウェア構成が図４に、及び同おみくじ箱の電気的ソフトウェア構成が図５に、それぞれ示されている。
【００４４】
−外観構成−
図２及び図３に示されるように、電子式おみくじ箱１は、実物のおみくじ箱を模した筒状箱体を有する。ここで、「実物のおみくじ箱に模した」とは、形状は勿論のこと、サイズや色彩等についても、実物のおみくじ箱と同等であることを意味している。実物のおみくじ箱には、断面円形、断面正方形、断面六角形等々のように、様々な筒状箱体が存在する。図示のおみくじ箱は、高さＨ＝２８０ｍｍ、最大直径Ｄ＝１２０ｍｍの断面六角形状の筒状箱体であって、その６つの周側面のそれぞれには、当該神社仏閣由来の図柄のほか、毛筆体の縦書きひらがな文字列にて、「おみくじ」と描かれている。
【００４５】
このおみくじ箱１の天板（上面板）１ｂには、図３（ａ）に示されるように、円形の画像表示部１ａが設けられている。図示の画像表示部１ａは、例えば、天板１ｂを刳り貫くことで円形の窓を開口すると共に、その円形窓から内部の画像表示器（例えば、液晶表示器、有機ＥＬ表示器、等々）の画面を露出させることにより構成されている。後に詳述するように、この画像表示部１ａには、普及型機械読取方式に適する図形コード（例えば、ＱＲコード、バーコード、等々）１ｆ及び引きくじ情報に対応する文字、数字、記号等の人の読み取りに適する表意体（図では、算用数字の「４１」）１ｅが表示される。なお、画像表示部の取り付け位置は、天板（上面板）１ｂに限るものではんく、その他、おみくじ箱１の周側面のいずれかであってもよい。また、おみくじ箱１の底板（下面板）１ｃには、図３（ｂ）に示されるように、内部のスピーカ（図４の符号１４ａ参照）からの音を外部に放出するための多数の細孔を有する放音板１ｄが設けられている。
【００４６】
おみくじ箱１の内部には、後述する電気的ハードウェア構成（図４参照）に相当する電機部品を搭載した回路基板（図示せず）が組み込まれているほか、その他の内部空間には、おみくじを引くための箱振り操作を行った際、おみくじ棒のぶつかり合う音がするように、実際におみくじ棒或いはそれに類する複数本の棒材を装入しておいてもよい。
【００４７】
なお、後述するように、このおみくじ棒のぶつかり合う音については、そのような音を予め擬似的に作成してメモリに記憶させておき、必要に応じて、これを読み出して、スピーカ１５ａから発音させるようにしてもよいであろう。
【００４８】
−ハードウェア構成−
図４に示されるように、電子的おみくじ箱１は、これを電気的ハードウェアの観点から見た場合、制御部１１と、記憶部１２と、操作部１３と、振動センサ１４と、スピーカ１５ａを駆動するための発音部１５と、画像表示器１６（１ａ）とをシステムバス１７により接続することで構成することができる。
【００４９】
制御部１１は、マイクロプロセッサや各種専用のＡＳＩＣ等で構成され、電子的おみくじ装置１の全体を統括制御する。
【００５０】
記憶部１２は、制御部１１を構成するマイクロプロセッサの動作を規定するシステムプログラムを格納するシステムＲＯＭ、マイクロプロセッサの動作に必要なワーキングエリア等を提供するＲＡＭ、各種の設定情報等を格納するためのフラッシュＲＯＭ等を含んで構成することができる。
【００５１】
操作部１３は、神社仏閣側の管理者が行う各種の操作に必要な操作子を含んでおり、例えば、管理者のみが操作可能なスイッチ等で構成することができる。
【００５２】
振動センサ１４は、おみくじを引くために行われる箱振り操作を検出するためのものであり、例えば、３軸加速度センサ、３軸角速度センサ（ジャイロセンサ）、３軸方位センサの１又は２以上を用いて構成することができる。
【００５３】
発音部１５は、システムバス１７を介して送られてくる一連の音データ列に基づいてスピーカ１５ａからの発音を制御するもので、音データ列をＡＤ変換してオーディオ信号を生成するＡ／Ｄ変換器や、オーディオ信号に基づいてスピーカを駆動するためのドライブ回路等を含んで構成することができる。
【００５４】
画像表示器１６（図１の符号１ａに相当）は、先に説明したように、おみくじ箱１の天板１ｂの内側に配置されるものであり、カラー液晶式や有機ＥＬ式の画像表示器により構成することができる。この画像表示器１６の画面上には、後に詳述するように、普及型機械読取方式に適する図形コード（例えば、ＱＲコード、バーコード、等々）１ｆ及び引きくじ情報に対応する文字、数字、記号等の人の読み取りに適する表意体１ｅが表示される。これらの図形コード１ｆ及び表意体１ｅは、スマートフォン３ａやタブレットＰＣ３ｂのカメラにて撮影される。そのため、画像表示器１６としては、そのようなカメラ撮影に耐えうる鮮明な映像を提供できるものでなければならない。
【００５５】
なお、以上説明した一連のハードウェアの電源については、勿論、ＡＣアダプタを介して商用電源から給電してもよいが、おみくじ箱から電源コードが引き出される不自然さを避けるためには、電池（充電式又は非充電式）を内蔵することが好ましい。
【００５６】
−ソフトウェア構成−
図５に示されるように、電子的おみくじ箱１は、これを電気的ソフトウェアの観点から見た場合、サイクリックに実行される一連の処理（ステップ１０１〜１１１）を含んで構成することができる。
【００５７】
すなわち、電源投入（図示しない電源スイッチの投入又は電池ボックスへの電池のセット）により処理が開始されると、節電のためのスリープモードへと移行したのち（ステップ１０１）、振動センサ１４の検知出力に基づいて、おみくじを引くための箱振り操作に相当する「箱振り操作あり」を待機する（ステップ１０２）。
【００５８】
ここで、おみくじを引くための「箱振り操作あり」の判定は、所定の判定アルゴリズムに基づいて行われる。この判定アルゴリズムは、おみくじを引くという目的のための箱振り操作に相当するおみくじ箱の運動とそれ以外の目的（例えば、おみくじ箱の持ち運び、カメラ撮影のための角度調整、等々）のためのおみくじ箱の運動とを可能な限り識別できるものであることが好ましい。このような判定アルゴリズムは、振動センサ１４を介して検出される振動の方向、振幅、周期、継続時間、等々に基づいて、おみくじを引くための箱振り操作に相当する「箱振り操作あり」の判断を行うように構成することができる。
【００５９】
おみくじを引くための箱振り操作に相当する「箱振り操作あり」と判定されると（ステップ１０２ＹＥＳ）、続いて、ウェイクアップ処理にて節電モードから通常通電モードに復帰したのち（ステップ１０３）、公知の乱数発生器を起動し（ステップ１０４）、しかるのち、ウェイト処理を実行して、予め決められた時間待ちを行う（ステップ１０５）。
【００６０】
この待ち時間は、おみくじを引くための箱振り操作を行ったのち、実際に、引きくじ情報に相当する図形コード１ｆや表示体１ｅが画像表示部１ａに表示されるでの待ち時間を提供するものであり、例えば０秒から３０秒の範囲で調整可能としてもよい。この待ち時間を提供することで、おみくじを引いた者に対して緊迫感を高めることができる。この待ち時間中にあっては、画像表示部１ａにその旨の表示を行ってもよい。
【００６１】
続いて、上記の待ち時間が終了するのを待って、乱数発生器からの発生乱数を取得したのち（ステップ１０６）、これを所定の相関テーブルを使用して、おみくじ番号（引きくじ情報）へと変換する（ステップ１０７）。続いて、記憶部１２から予め記憶させておいて当該神社仏閣を特定するための神社仏閣情報、及びおみくじ内容の問い合わせ先となるサーバを特定するためのサーバ情報を取得することで（ステップ１０８，１０９）、エンコード対象となる「引きくじ情報（おみくじ番号）」、「神社仏閣情報」、及び「サーバ情報」の少なくとも３者をエンコード用の特定情報として生成する。
【００６２】
続いて、こうして生成された特定情報は、この例にあっては、ＱＲコードに変換されたのち（ステップ１１０）、電子式おみくじ箱１の天板１ｂに設けられた画像表示部１ａに表示される。この例では、図８に示されるように、画像表示部１ａには、ＱＲコードからなる図形コード１ｆに加えて、算用数字の「４１」からなる表意体１ｅが表示されるように仕組まれている。
【００６３】
これにより、おみくじを引いた者は、図９の右上に示されるように、画像表示部１ａに表示された引きくじ番号「４１」を頼りとして、おみくじ棚５の該当する区画の引き出し５１から取り出したおみくじ箋６を介して引きくじ内容を確認する方法（詳細は後述）と、図９の右下に示されるように、画像表示部１ａに表示されたＱＲコードをスマートフォン等の携帯情報端末（３ａ，３ｂ）のカメラで撮影し、その撮影情報に基づいて、携帯情報端末から情報提供サーバ２にアクセスすることで、携帯情報端末の画面表示を介して引きくじ内容を確認する方法（詳細は後述）とを任意に選択することができるのである。
【００６４】
以上一連の処理（ステップ１０１〜１１１）をサイクリックに実行する訳であるが、その一巡実行のたびに、おみくじを引いた回数や引きくじ情報等を記憶部１２に記憶し、所定の読み出し操作に応答して、記憶部１２から読み出して、外部へと出力するデータロギング機能がさらに組み込まれていてもよい。なお、この外部への読み出しのためには、例えば、おみくじ箱１の外表面にＵＳＢコネクタを取り付け、ノートパソコン側から延びるＵＳＢケーブル先端のＵＳＢコネクタと接続可能としてもよい。
【００６５】
＜情報提供サーバについて＞
本発明に係る情報提供サーバのハードウェア構成の一例を示すブロック図が、図６に示されている。
【００６６】
−ハードウェア構成−
この種のハードウェア構成については、各種の文献により公知であるから、その説明については、本発明の要部を除き、簡単に行う。
【００６７】
図６に示されるように、情報提供サーバ２は、サーバ装置の全体制御を司るＣＰＵ等からなる制御部２１、ＲＯＭ、ＲＡＭ、又はハードディスク等からなり、前述した各種の情報提供用のプログラムや各種のデータ等を記憶するための記憶部２２、外部機器とＬＡＮ又はインターネット等を介して通信を行うための通信部２３、表示処理を行うための表示部２３、外部機器との入出力を行うＩ／Ｆ部２６、入力操作を行うための入力操作部２５
バ装置とは別に設けられていてもよい。図６に示されるように、この例にあっては、情報提供サーバ２は、制御部２１と、記憶部２２と、通信部２３と、表示部２４と、入力操作部２５と、外部インタフェース部２６とを備えて構成されている。なお、記憶部２２は、ストレージ等として、このサーバ装置とは別にインターネット上に設置してもよい。
【００６８】
−ソフトウェア構成−
情報提供サーバ２のソフトウェア構成については、続く「携帯情報端末と情報提供サーバとの連繋動作について」の項において、詳細に説明する。
【００６９】
＜携帯情報端末と情報提供サーバとの連繋動作について＞
情報提供サーバと携帯情報端末の１つであるスマートフォンとのインターネット経由での情報のやり取りを示すフローチャートが、図７に示されている。同図において、右側の縦一列に並んだ一連の処理（ステップ２０１〜２０７）は、スマートフォン３ａの側で実行される処理であり、左側の縦一列に並んだ一連の処理（ステップ３０１〜３０６）は、情報提唱サーバ２の側で実行される処理である。
【００７０】
今仮に、電子式おみくじ箱１を伝統的なおみくじ引き作法に則って箱振り操作したことにより、おみくじ箱１の天板１ｂにある画像表示部１ａに、「引きくじ情報」、「サーバ情報」、及び「神社仏閣情報」を含む特定情報をデコードしてなる図形コード（ＱＲコード）１ｆ及び表意体（算用数字の「４１」）１ｅが表示されたものと想定する。
【００７１】
この状態において、おみくじを引いた参拝者等は、図８に示されるように、自己が所持するスマートフォン３ａのカメラで、画像表示部１ａに表示された図形コード１ｆであるＱＲコードを撮影する。
【００７２】
すると、図７に戻って、撮影処理（ステップ２０１）に続いて、デコード処理（ステップ２０２）が実行されることにより、ＱＲコードにエンコードされていた「引きくじ情報」、「サーバ情報」、及び「神社仏閣情報」がデコードされて取得される。
【００７３】
続いて、送信リクエスト生成処理（ステップ２０３）が実行されることにより、上述のの２つの情報（「引きくじ情報」及び「神社仏閣情報」）を少なくとも含む送信リクエストが生成され、この送信リクエストは、続く送信処理（ステップ２０４）の実行と共に、「サーバ情報」にて特定される引きくじ内容問い合わせ先となるサーバ２へとインターネット経由にて送信される。なお、送信に先立ち、画面上には送信許可を求める表示がなされる場合もあるが、その場合には、これに対する所定の送信許可操作を行うことで、サーバへの送信リクエストの送信は実行される。いずれにせよ、上述の一連の操作（ステップ２０１〜２０４）は、ブラウザの標準的な機能を用いて実現することができ、専用の特別なサポートアプリのインストールは不要である。
【００７４】
情報提供サーバ２の側では、常時、送信リクエストの待機状態にあり（ステップ３０１、３０２ＮＯ）、送信リクエストを受信すると（ステップ３０２ＹＥＳ）、送信リクエストに含まれる「引きくじ情報」と「神社仏閣情報」とを引数として記憶部２２に格納された所定のデータベースにアクセスすることにより、該当する神社仏閣の該当する「引きくじ情報」に対応する「引きくじ内容情報」を返送用情報として取得する（ステップ３０３）。
【００７５】
すなわち、情報提供サーバ２の記憶部２２には、複数の神社仏閣のそれぞれ毎に、各引きくじ情報に対応する「引きくじ内容情報」がデータベースの形態でかつ多言語（例えば、日本語、英語も、中国語、韓国語、フランス語、ロシア語、アラビア語、等々）にて格納されている。加えて、このデータベースには、各神社仏閣毎に、「広告宣伝情報」（例えば、当該神社仏閣の年間行事や特別催行行事、当該神社仏閣の起源、等々）についても格納されている。そして、続く、広告宣伝情報取得処理（ステップ３０４）が実行されることにより、それらの「広告宣伝情報」は、「神社仏閣情報」に対応して、上述のデータベースから読み出され、返送用情報として取得されることとなる。
【００７６】
続いて、リクエスト応答生成処理（ステップ３０５）が実行されると、先に取得された「引きくじ内容情報」及び「広告宣伝情報」を含むリクエスト応答が生成されると共に、こうして生成されたリクエスト応答は、続く送信処理（ステップ３０６）の実行により、スマートフォン３ａの側へとインターネットを経由で返送される。
【００７７】
スマートフォン３ａの側では、情報提供サーバ２側からリクエスト応答の返信を待機する状態にあり（ステップ２０５、２０６ＮＯ）、リクエスト応答の返信を待って（ステップ２０６ＹＥＳ）、受信応答に含まれる「引きくじ内容情報」及び「広告宣伝情報」をスマートフォン３ａの画面に表示させることとなる（ステップ２０７）。
【００７８】
こうして、スマートフォン３ａの画面に表示された引きくじ内容情報の一例が、図９に示されている。同図に示されるように、スマートフォンの画面上には、上から順に、希望原語指定ボタン表示列３１〜３４、引きくじ番号表示（「第四十一番」）３５、吉凶表示（「大吉」）３６、運勢の説明（概略）表示領域３７、及び個別の運勢表示領域３８が設けられている。
【００７９】
希望言語指定ボタン表示３１〜３４としては、英語指定ボタン、中国語指定ボタン、韓国語指定ボタン、ロシア語指定ボタン等々を配置することができる。これら指定ボタンの表示は、アルファベット２文字（例えば、ＥＮ、ＣＨ、ＫＲ、ＲＵ）や当該言語による表示、等々のように、来日観光客等にとって直観的に理解しやすいものが好ましい。
【００８０】
これらの希望言語指定ボタン表示３１〜３４は、情報提供サーバ２の側からスマートフォン３ａの側に対する希望言語の問い合わせの意味合いがあり、これに応答して、スマートフォン３ａの所持者が希望言語に対応する希望言語指定ボタン表示３１〜３４のいずれかを押圧操作すると、ブラウザの作用により、その旨が情報提供サーバ２の側へと伝えられ、これに応答して、情報提供サーバ２が希望言語を認識して、該当する言語のおみくじ内容情報をスマートフォン３ａの側へと返送することにより、ブラウザの作用により、スマートフォン３ａの画面上には、希望言語によって、引きくじの内容が表示される。
【００８１】
なお、スマートフォン３ａの画面上に表示される引きくじ内容情報を来日外国観光客でも読めるようにするためには、必ずしも、希望言語の問いかけを行う必要はない。例えば、最初から多言語（この例では、英語、中国語、韓国語、ロシア語）のそれぞれによる記載を含む「引きくじ内容情報」をスマートフォン３ａの側に送り込んで、画面の上下方向へ連続的に一括表示させておき、スマートフォンユーザの側におけるスクロール操作で希望言語のものを選択させるようにしてもよい。
【００８２】
また、情報提供サーバ２の側には、１又は２以上の神社仏閣のそれぞれ毎に、引きくじ内容情報を送信した回数を計数して記憶部２２に記憶し、所定の読み出し操作に応答して、記憶部２２から読み出して、外部へと出力するデータロギング機能がさらに組み込まれていてもよい。
【００８３】
＜本発明システムの作用＞
次に、以上説明した本発明システムの一実施形態による作用をユーザの側の操作に沿って時系列的に説明する。
【００８４】
−おみくじを引く−
神社仏閣の参拝者等の中でおみくじを引こうとする者は、先ず、従前通り、社務所等の係員に手渡しでおみくじ代金を支払い又は所定の料金箱におみくじ代金を投入したのち、所定の「おみくじ引き操作」を行う。この「おみくじ引き操作」は、おみくじ箱に収容されているおみくじ棒（実際には、存在はせず、スピーカから疑似撹拌音が流れる場合もある）が十分に撹拌されることを意図するものであるから、通常は、おみくじ箱を両手で縦又は横に持って上下又は斜め上下に何回も振ると言った操作になるであろう。おみくじ箱内蔵の電子回路が「箱振り操作あり」と判定すると、おみくじ箱１の天板１ｂに設けられた画像表示部１ａには、図３（ａ）に拡大して示すように、ＱＲコード（図形コード１ｆ）と算用数字の「４１」（人が認識可能な表意体１ｅ）とが表示される。このように、おみくじを引く操作は、神仏を背景とした厳かな雰囲気の中でおみくじ箱を振るという伝統的な作法を通じて行われる。
【００８５】
−カメラで撮影−
おみくじ引き操作を行った者は、続いて、図８に示されるように、一方の手におみくじ箱１を持つと共に、他方の手にはスマートフォン３ａを持って、スマートフォン３ａのカメラの視野に、画像表示部１ａに映し出されＱＲコードが適当なサイズで収まるように両者の位置関係を設定したのち、所定のシャッタボタンを押すことで、ＱＲコードの撮影を行う。以後、当該スマートフォン内蔵のブラウザの標準機能にしたがって、所定の送信操作を行うことで、ＱＲコードにエンコードされた情報は、所定の情報提供サーバ２へとインターネット経由にて送信される。
【００８６】
−携帯情報端末で内容を確認−
スマートフォン３ａの側で所定の送信操作が行われると、これを受信した情報提供サーバ２の側からは、「引きくじ内容情報」及び必要に応じて、「広告宣伝情報」が返送されることとなり、スマートフォン３ａの画面上には、図９の右下に示されるように、「おみくじ内容情報」を構成する希望原語指定ボタン表示列３１〜３４、引きくじ番号表示（「第四十一番」）３５、吉凶表示（「大吉」）３６、運勢の説明（概略）表示領域３７、及び個別の運勢表示領域３８が現れる。そのため、おみくじを引いた者は、適宜にスクロール操作など面倒な作業を行うことにより、引きくじ内容を詳細に確認することができる。
【００８７】
来日外国人観光客等の場合であれば、希望原語指定ボタン表示列３１〜３４の中から希望する言語に対応するボタン表示の１つをタッチすると、当該スマートフォン内蔵のブラウザの標準機能にしたがって、希望言語情報が情報提供サーバ２の側へと送信されることにより、情報提供サーバ２の側からは、当該希望言語で編集されたおみくじ内容情報が返送され、スマートフォン３ａの画面上に映し出された引きくじ番号表示（「第四十一番」）３５、吉凶表示（「大吉」）３６、運勢の説明（概略）表示領域３７、及び個別の運勢表示領域３８の内容は、当該希望言語のものに切り替わる。そのため、来日外国人観光客等であっても、引きくじ内容を自国の言語にて確認することができる。
【００８８】
なお、先に述べたように、引きくじ内容情報を当初から多言語にてスマートフォン３ａの側へと返送するものであれば、スマートフォン側にてスクロール操作などにより、希望の言語による引きくじ内容表示を探索して、自国の言語にて確認することもできる。
【００８９】
また、情報提供サーバ２の側から「広告宣伝情報」が返送される場合には、例えば、図９に示されるように、スマートフォン３ａの画面上には、当該「広告宣伝情報」に対応する表示が現れるから、おみくじを引いた者に対して、当該神社仏閣に関する各種の広告宣伝情報を提供することもできる。
【００９０】
おみくじを引いた者の中には、スマートフォン３ａの画面に表示された画像をキャプチャして記憶すると共に、ＳＮＳを利用して、多数の者に拡散する者もいるであろうから、このような行為が繰り返されることにより、当該神社仏閣の知名度を向上させて、収益に貢献することも期待される。
【００９１】
＜代金の徴収＞
神社仏閣側が受け取るべきおみくじ代金及び情報提供サーバの運営業者が受け取るべき情報提供代金を、だれからどのように徴収すべきかについては、幾つかの方法が考えられるが、まず最初に、神社仏閣の側が、情報提供代金を含めて参拝者等からおみくじ代金を徴収し、しかるのち、実際の情報提供回数に対応する情報提供代金を、情報提供サーバの運営業者からの請求に応じて、神社仏閣の側から情報提供サーバの運営業者へと支払うと言った方法が、この種のシステムの普及には最も相応しいものと思われる。このとき、おみくじ箱の側及び情報提供サーバの運営業者の側との間の支払をスムーズに行うためには、双方にデータロギング機能が組み込まれていることが好ましいであろう。
【００９２】
＜他の実施形態＞
おみくじシステムの無断使用ないし代金不払いの問題は、紙のおみくじの時代から存在するが、例えば図１１（ａ）に示されるように、おみくじ箱１Ａそれ自体に料金投入口１８を設けて料金徴収を可能とすると共に、料金徴収を条件として、おみくじ箱の作動を可能とするロック装置を内蔵すれば、このようなおみくじシステムの無断使用ないし代金不払いの問題を解決することもできる。
【００９３】
また、図１１（ｂ）に示されるように、別途離間して設けた料金箱７に無線送受信機を内蔵すると共に、おみくじ箱１Ｂの側には、無線送受信機及び同様なロック装置を内蔵して、料金箱への代金投入がないかぎり、おみくじ箱が作動しないような通信システムを組み込んでも、このようなおみくじシステムの無断使用ないし代金不払いの問題を解決することができる。
【産業上の利用可能性】
【００９４】
本発明によれば、おみくじ提供サービスに関して、神社仏閣側の維持経費や労力を軽減可能とする一方、おみくじを引いた参拝者の所持する携帯情報端末をインターネットを介して当該寺社仏閣の情報提供サーバに導くことで、引きくじ内容のみならず、当該神社仏閣に関する様々な情報を当該端末を介して参拝者に提供可能とし、併せて、それらの提供情報がＳＮＳ等を介して、多くのネットユーザへと拡散されることも期待できる。
【符号の説明】
【００９５】
１        電子式おみくじ箱
１ａ      画像表示器
１ｂ      天板
１ｃ      底板
１ｄ      放音板
１ｅ      表意体
１ｆ      ＱＲコード
２        情報提供サーバ
３ａ      スマートフォン（携帯情報端末）
３ｂ      タブレットＰＣ（携帯情報端末）
４        インターネット
５        おみくじ棚
６        おみくじ箋
１１      制御部
１２      記憶部
１３      操作部
１４      振動センサ
１５      発音部
１６      画像表示器
１７      システムバス
２１      制御部
２２      記憶部
２３      通信部
２４      表示部
２５      入力操作部
２６      外部インタフェース部（Ｉ／Ｆ）
３１      希望言語選択ボタン表示
３２      希望言語選択ボタン表示
３３      希望言語選択ボタン表示
３４      希望言語選択ボタン表示
３５      引きくじ番号表示
３６      吉凶表示
３７      運勢の説明（概略）表示領域
３８      運勢の説明（詳細）表示領域
５１      引き出し箱
【図１】
2019008743.tif 000003
【図２】
2019008743.tif 000004
【図３】
2019008743.tif 000005
【図４】
2019008743.tif 000006
【図５】
2019008743.tif 000007
【図６】
2019008743.tif 000008
【図７】
2019008743.tif 000009
【図８】
2019008743.tif 000010
【図９】
2019008743.tif 000011
【図１０】
2019008743.tif 000012
【図１１】
2019008743.tif 000013